(57)【特許請求の範囲】
【請求項１】
前面に遊技領域が画成された遊技盤の裏面に、入賞装置の入賞球排出経路を画成する裏樋が設けられると共に、前記遊技盤に開設した開口部の内周縁を囲繞するよう装飾部材が配設され、前記装飾部材に開設した画面用開口を介して図柄表示装置の画面が遊技盤の前面に臨む遊技機において、
可動体および該可動体を作動させる駆動機構からなる複数の演出部材と、該駆動機構を作動させる駆動手段とを備え、該駆動手段および駆動機構をケース体内に収容して構成された可動演出装置を有し、
前記裏樋は、前記遊技盤の開口部に前後に並ぶ開口を有する枠状に構成され、該裏樋における開口部に隣接する部位に、前記可動演出装置のケース体に設けられた取付部が取付け可能な設置部が形成され、
前記可動演出装置のケース体は、前記取付部を前記設置部に取付けることで、前記可動体が前記画面用開口を介して遊技盤の前面に臨むよう前記裏樋に固定される
ことを特徴とする遊技機。
【請求項２】
前面に遊技領域が画成された遊技盤の裏面に、入賞装置の入賞球排出経路を画成する裏樋が設けられると共に、前記遊技盤に開設した開口部の内周縁を囲繞するよう装飾部材が配設され、前記装飾部材に開設した画面用開口を介して図柄表示装置の画面が遊技盤の前面に臨むと共に、第１の可動演出装置が該装飾部材に設けられた遊技機において、
可動体および該可動体を作動させる駆動機構からなる複数の演出部材と、該駆動機構を作動させる駆動手段とを備え、該駆動手段および駆動機構をケース体内に収容して構成された第２の可動演出装置を有し、
前記裏樋は、前記遊技盤の開口部に前後に並ぶ開口を有する枠状に構成され、該裏樋における開口部に隣接する部位に、前記第２の可動演出装置のケース体に設けられた取付部が取付け可能な設置部が形成され、
前記第２の可動演出装置のケース体は、前記取付部を前記設置部に取付けることで、前記可動体が前記画面用開口を介して遊技盤の前面に臨むよう前記裏樋に固定される
ことを特徴とする遊技機。
【請求項３】
前記可動体は、第１姿勢から第２姿勢まで姿勢変位可能に構成されると共に、前記複数の演出部材が列をなして配設され、
前記駆動機構は、
前記可動体の下方に配設され、正逆方向へ回転可能なギヤと、
前記可動体に連繋されると共に上方の第１位置および下方の第２位置の間で昇降移動し、第１位置への移動に伴い可動体を前記第１姿勢に姿勢変位させ、第２位置への移動に伴い可動体を前記第２姿勢に姿勢変位させるアーム部材と、
前記アーム部材を第１位置に向けて付勢して、前記可動体を第１姿勢で保持する弾性部材と、
前記アーム部材に設けられたカムフォロアと、
前記ギヤの側端面における偏心した位置に突出して設けられ、該ギヤの回転に伴ない前記カムフォロアを下方へ押して、前記可動体が第２姿勢に変位するよう前記アーム部材を第２位置へ移動させるカム部とを備え、
前記各演出部材の駆動機構に配設されたギヤは、単一の駆動手段によって正逆方向へ回転するよう相互に連繋されると共に、
少なくとも１つの演出部材における駆動機構のカム部がカムフォロワを下方へ押すタイミングが、他の演出部材における駆動機構のカム部がカムフォロワを下方へ押すタイミングとずれるよう構成されている請求項１または２記載の遊技機。
【請求項４】
前記複数の演出部材は、各駆動機構のギヤが列をなすよう噛合した第１群を構成する演出部材および各駆動機構のギヤが列をなすよう噛合した第２群を構成する演出部材に分割されると共に、第１群の各ギヤと第２群のギヤとが対称に構成され、
前記第１群を構成する各ギヤの１つと第２群を構成する各ギヤの１つとが、駆動手段に連結された中継ギヤを介して反対方向へ回転するよう連繋され、
前記第１群および第２群を構成する各ギヤにおいて対称位置に配設された両ギヤに設けられたカム部は、対応のカムフォロワを同じタイミングで下方へ押すよう構成されている請求項３記載の遊技機。
【発明の詳細な説明】
【技術分野】
【０００１】
この発明は、遊技機に関し、更に詳細には、複数の可動体を有する可動演出装置を備えた遊技機に関するものである。
【背景技術】
【０００２】
遊技機の代表例の一つであるパチンコ機は、遊技店の設置枠台(通称「島」)に縦向きの姿勢で設置した外枠に、遊技盤を着脱自在に配設した中枠が開閉および着脱可能に組付けられる。そして、前記中枠の前側に、遊技盤を透視保護するガラス板を組付けた前枠や、上下の球皿、パチンコ球の打出し操作用の打球発射装置等を組付けると共に、中枠の裏側に配設した機構セット盤に、各種球処理部や制御装置等を設けることで遊技に供される。
【０００３】
前記遊技盤には、所要の装飾部材や遊技釘が設けられ、遊技球が流下する遊技領域が画成されている。また、遊技盤の中央部に開口部が大きく開設され、該開口部の内周縁にセンター役物と称される環状の装飾部材が配設される。例えば、特許文献１に示すように、このセンター役物には、画面用開口が開設され、該画面用開口を介して図柄表示装置の液晶画面が遊技盤の前面に臨んでいる。また、センター役物には、上方に大型の発光表示用の演出装置が設けられると共に、複数の可動体を備えた可動演出装置が下方に設置されている。可動演出装置には、複数の可動体に複雑な演出を行なわせるため複数の駆動手段が設けられており、多種多様な可動演出が実現されている。
【特許文献１】特開２００７−８９７７７号公報
【発明の開示】
【発明が解決しようとする課題】
【０００４】
しかしながら、前記可動演出装置は、複数の可動体を複数の駆動手段で作動する構成のため、装置全体の重量が大きくなっている。また、センター役物の上方に設けられた発光表示用の演出装置についても、その大型化に伴い重量が嵩む傾向にある。従って、このような重量のある２つの演出装置をセンター役物の上下に取付けた構成では、該センター役物に対する負荷が大きくなって、センター役物が変形したり、破損したりする虞がある。しかも、センター役物は、自身も遊技盤の装飾効果を発揮するようデザインされており、その形状変更について制限が課せられている。従って、前記演出装置に合わせてセンター役物を加工することが難しく、設計上の都合から、演出装置の取付け強度が不足したり、取付け時の作業性が低下する場合があった。更に、負荷による変形等を防ぐため、該センター役物を肉厚にして剛性を高めることは可能であるが、これでは、センター役物の画面用開口が狭くなって、迫力ある映像を提供し得なくなる。
【０００５】
そこで、本発明は、前述した従来の技術に内在している前記欠点に鑑み、これを好適に解決するべく提案されたものであって、装飾部材(センター役物)に対する負荷を軽減し、しかも可動演出装置を確実かつ容易に取付け得る遊技機を提供することを目的とする。
【課題を解決するための手段】
【０００６】
前述した課題を解決し、所期の目的を好適に達成するため、本発明に係る遊技機は、
前面に遊技領域(15)が画成された遊技盤(12)の裏面に、該遊技領域(15)に配設された入賞装置(22,23,24)の入賞球排出経路を画成する裏樋(28)が設けられると共に、前記遊技盤(12)に開設した開口部の内周縁を囲繞するよう装飾部材(16)が配設され、前記装飾部材(16)に開設した画面用開口(20)を介して図柄表示装置の画面が遊技盤(12)の前面に臨む遊技機において、
可動体(66)および該可動体(66)を作動させる駆動機構(72)からなる複数の演出部材(68)と、該駆動機構(72)を作動させる駆動手段(70)とを備え、該駆動手段(70)および駆動機構(72)をケース体(34)内に収容して構成された可動演出装置(10)を有し、
前記裏樋(28)は、前記遊技盤(12)の開口部に前後に並ぶ開口を有する枠状に構成され、該裏樋(28)における開口部に隣接する部位に、前記可動演出装置(10)のケース体(34)に設けられた取付部(98,102)が取付け可能な設置部(30)が形成され、
前記可動演出装置(10)のケース体(34)は、前記取付部(98,102)を前記設置部(30)に取付けることで、前記可動体(66)が前記画面用開口(20)を介して遊技盤(12)の前面に臨むよう前記裏樋(28)に固定されることを特徴とする。
請求項１の発明によれば、可動演出装置のケース体を裏樋に固定したので、装飾部材(センター役物)に対する負荷を軽減し得る。また、裏樋は、遊技盤の裏面に設けられ、デザイン上の制限が少ないため、ケース体の形状に合わせて裏樋を適宜設計変更し得る。従って、ケース体の保持性および着脱時の作業性を考慮した形状に裏樋を変更して、ケース体を確実かつ容易に取付けることが可能となる。また、複数の演出部材をケース体に収容したので、可動演出装置をケース体単位で扱うことができ、着脱作業の効率性も向上し得る。更に、センター役物の剛性を高める必要がなく、画面用開口を広くし得る。
【０００７】
前述した課題を解決し、所期の目的を好適に達成するため、別の発明に係る遊技機は、
前面に遊技領域(15)が画成された遊技盤(12)の裏面に、該遊技領域(15)に配設された入賞装置(22,23,24)の入賞球排出経路を画成する裏樋(28)が設けられると共に、前記遊技盤(12)に開設した開口部の内周縁を囲繞するよう装飾部材(16)が配設され、前記装飾部材(16)に開設した画面用開口(20)を介して図柄表示装置の画面が遊技盤(12)の前面に臨むと共に、第１の可動演出装置(18)が該装飾部材(16)に設けられた遊技機において、
可動体(66)および該可動体(66)を作動させる駆動機構(72)からなる複数の演出部材(68)と、該駆動機構(72)を作動させる駆動手段(70)とを備え、該駆動手段(70)および駆動機構(72)をケース体(34)内に収容して構成された第２の可動演出装置(10)を有し、
前記裏樋(28)は、前記遊技盤(12)の開口部に前後に並ぶ開口を有する枠状に構成され、該裏樋(28)における開口部に隣接する部位に、前記第２の可動演出装置(10)のケース体(34)に設けられた取付部(98,102)が取付け可能な設置部(30)が形成され、
前記第２の可動演出装置(10)のケース体(34)は、前記取付部(98,102)を前記設置部(30))に取付けることで、前記可動体(66)が前記画面用開口(20)を介して遊技盤(12)の前面に臨むよう前記裏樋(28)に固定されることを特徴とする。
請求項２の発明によれば、第２の可動演出装置のケース体を裏樋に固定したので、装飾部材(センター役物)に対する負荷を軽減し得る。また、裏樋は、遊技盤の裏面に設けられ、デザイン上の制限が少ないため、ケース体の形状に合わせて裏樋を適宜設計変更し得る。従って、ケース体の保持性および着脱時の作業性を考慮した形状に裏樋を変更して、ケース体を確実かつ容易に取付けることが可能となる。また、複数の演出部材をケース体に収容したので、第２の可動演出装置をケース体単位で扱うことができ、着脱作業の効率性も向上し得る。更に、センター役物の剛性を高める必要がなく、画面用開口を広くし得る。
【０００８】
請求項３に係る遊技機では、
前記可動体(66)は、第１姿勢から第２姿勢まで姿勢変位可能に構成されると共に、前記複数の演出部材(68)が列をなして配設され、
前記駆動機構(72)は、
前記可動体(66)の下方に配設され、正逆方向へ回転可能なギヤ(76)と、
前記可動体(66)に連繋されると共に上方の第１位置および下方の第２位置の間で昇降移動し、第１位置への移動に伴い可動体(66)を前記第１姿勢に姿勢変位させ、第２位置への移動に伴い可動体(66)を前記第２姿勢に姿勢変位させるアーム部材(74)と、
前記アーム部材(74)を第１位置に向けて付勢して、前記可動体(66)を第１姿勢で保持する弾性部材(77)と、
前記アーム部材(74)に設けられたカムフォロア(82)と、
前記ギヤ(76)の側端面における偏心した位置に突出して設けられ、該ギヤ(76)の回転に伴ない前記カムフォロア(82)を下方へ押して、前記可動体(66)が第２姿勢に変位するよう前記アーム部材(74)を第２位置へ移動させるカム部(84)とを備え、
前記各演出部材(66)の駆動機構(72)に配設されたギヤ(76)は、単一の駆動手段(70)によって正逆方向へ回転するよう相互に連繋されると共に、
少なくとも１つの演出部材(66)における駆動機構(72)のカム部(84)がカムフォロワ(82)を下方へ押すタイミングが、他の演出部材(66)における駆動機構(72)のカム部(84)がカムフォロワ(82)を下方へ押すタイミングとずれるよう構成されている。
請求項３の発明によれば、(第２の)可動演出装置は、単一の駆動手段で多彩な演出効果を実現することができ、電力消費量を抑制することができる。また、駆動手段を単一とすることで部品点数が抑制され、製品コストを低廉にし得る。しかも、駆動手段を１つとすることで、構造が簡単となって、組付け時の工程数を少なくし得る。
【０００９】
請求項４に係る遊技機では、前記複数の演出部材(68)は、各駆動機構(72)のギヤ(76)が列をなすよう噛合した第１群を構成する演出部材(68)および各駆動機構(72)のギヤ(76)が列をなすよう噛合した第２群を構成する演出部材(68)に分割されると共に、第１群の各ギヤ(76)と第２群のギヤ(76)とが対称に構成され、
前記第１群を構成する各ギヤ(76)の１つと第２群を構成する各ギヤ(76)の１つとが、駆動手段(70)に連結された中継ギヤ(86,86)を介して反対方向へ回転するよう連繋され、
前記第１群および第２群を構成する各ギヤ(76,76)において対称位置に配設された両ギヤ(76,76)に設けられたカム部(84)は、対応のカムフォロワ(82)を同じタイミングで下方へ押すよう構成されている。
請求項４の発明によれば、第１群のギヤと第２群のギヤとの回転方向を反転させたので、可動体の演出態様を第１群および第２群で対称にすることができ、演出効果の向上を図り得る。
【発明の効果】
【００１０】
本発明に係る遊技機によれば、装飾部材への負荷を少なくし、(第２の)可動演出装置を確実に取付け得る。
【発明を実施するための最良の形態】
【００１１】
次に、本発明に係る遊技機につき、好適な実施例を挙げて、添付図面を参照しながら、以下詳細に説明する。なお、以下の説明において「前」、「後」、「左」、「右」とは、特に断りのない限り、図１に示すように遊技機の遊技盤を正面側から見た場合において指称するものとする。
【実施例】
【００１２】
図１は、実施例に係る遊技機の遊技盤１２を示す正面図である。前記遊技盤１２は、略矩形状に形成されて、その前面側に略円形状に湾曲するレール１４が取付けられており、該レール１４により画成される遊技領域１５に、図示しない発射装置によって遊技球を打出すようになっている。遊技盤１２には、その略中央部に開口部が大きく開設されており、該開口部の内周縁に沿って装飾部材(以下、センター役物１６という)が配設されている。このセンター役物１６は、各種装飾が施された環状体であって、上部には、上部領域全体を占めるように大型の回転演出装置(第１の可動演出装置)１８が配設されている。また、センター役物１６の中央には、大きく開口する画面用開口２０が画成され、各種の図柄を変動して図柄変動ゲームを行なう液晶式やドラム式等の図柄表示装置の画面(図示せず)が画面用開口２０を介して遊技盤１２の前方に臨んでいる。
【００１３】
前記遊技領域１５に打出された遊技球が遊技盤１２の下方に配設した始動入賞装置(入賞装置)２２に入賞すると、図柄表示装置の図柄を変動させて所要の図柄変動ゲームが開始される。そして、図柄変動ゲームの結果、前記図柄表示装置に特定の図柄組合わせ(例えば、同一図柄の三つ揃)が表示されることで、遊技者に有利な特別遊技(所謂大当り)が発生するよう構成されている。また、前記遊技盤１２における始動入賞装置２２の下方位置には、前記特別遊技の発生時に開放する特別入賞装置(入賞装置)２３が配設され、該特別入賞装置２３に遊技球が入賞することで、遊技機に設けた図示しない球皿に賞球を払出すようになっている。更に、遊技盤１２の下方位置には、入賞時に所定数の賞球が払出される普通入賞口(入賞装置)２４が複数設けられている。
【００１４】
(裏樋について)
前記遊技盤１２の裏面には、図２に示すように、上下左右の枠部材２６ａ〜２６ｄにより矩形枠状に形成された裏樋２８が設けられている。前記裏樋２８の下枠部材２６ｂには、始動入賞装置２２の駆動手段(図示せず)等を保持する保持部２７が形成され、該保持部２７に始動入賞装置２２の入賞口に連通する入賞球排出経路(図示せず)が画成されている。同様に、前記下枠部材２６ｂは、前記普通入賞口２４に連通する入賞球排出経路(図示せず)を備え、該入賞口２４に入球した遊技球を入賞球排出経路を介して排出するようになっている。
【００１５】
前記裏樋２８の下部には、後述する可動演出装置１０を着脱自在に設置するための設置部３０が形成されている。設置部３０は、左右の枠部材２６ｃ,２６ｄ(図２では、左右逆に図示)の下部に設けられ、内側へ臨む支持部３２,３２と、下枠部材２６ｂの上面に形成された支持面３６とで構成される。前記支持部３２,３２は、可動演出装置１０の設置時に、該可動演出装置１０のケース体３４(後述)における左右の側部を支持するものである。各支持部３２には、可動演出装置１０を固定するためのネジ(図示せず)が螺挿されるネジ孔３２ａが開設されている。前記支持面３６は、前記ケース体３４の下面を支持するものであって、該支持面３６の左右方向の中央位置に、上方へ突出する凸部３６ａが形成されている。また、前記下枠部材２６ｂの後面には、前記可動演出装置１０を固定するためのネジ(図示せず)が螺挿される２つのネジ孔３７,３７が後方へ向けて開放するよう開設されている。
【００１６】
(回転演出装置について)
図１に示すように、前記センター役物１６の上部には、例えば特別遊技時に作動して、視覚的な演出効果を発揮する回転演出装置１８が設けられている。この回転演出装置１８は、図３および図５に示す如く、ケース部材３８の前面に正逆回転自在に配設された複数の回転体４０,４２と、該ケース部材３８の内部に収容されて同じく正逆回転自在な複数のギヤ４６,４８,５０と、該ギヤ４６,４８,５０を回転させる２つのモータ５６,６０とから基本的に構成され、大型で重量のある構造となっている。前記回転体４０,４２は、中央に位置する大型の独立回転体４０と、該独立回転体４０の左右に設けられて同期的に回転する４つの連動回転体４２とからなる。前記独立回転体４０および連動回転体４２は、無色透明なプラスチック成型品であって、その内部に、光散乱処理が施されて鮮やかな演出効果を発揮する散乱シート(図示せず)が介在している。なお、独立回転体４０および連動回転体４２に設けられる散乱シートは、光の散乱態様が異なるタイプものが採用され、両回転体４０,４２における演出効果が相違するよう図られている。図３に示すように、前記独立回転体４０および両端に位置する連動回転体４２,４２は、独立回転体４０に隣接する左右の連動回転体４２,４２よりも前方に位置し、相互に干渉しないよう構成される。また、前記連動回転体４２は、左右両端に位置する回転体４２,４２の径が、内側に位置する回転体４２,４２よりも小さく設定される。
【００１７】
前記独立回転体４０および連動回転体４２の後面から回転シャフト４４が延出し、該シャフト４４は、前記ケース部材３８の前壁部３８ａを貫通して対応するギヤ４６,４８に連結している。図５に示すように、回転演出装置１８で用いられるギヤ４６,４８,５０は、前記独立回転体４０に連結する独立ギヤ４６と、前記連動回転体４２に連結する複数の連動ギヤ４８と、該連動ギヤ４８を連繋する連繋ギヤ５０とから構成される。前記連動ギヤ４８は、隣接する連動ギヤ４８に噛合すると共に、内側の２つの連動ギヤ４８,４８が連繋ギヤ５０(外周面側のギヤ５０ａ(後述))に左右から連繋しており、４つの連動ギヤ４８は一体的に回転するようになっている。なお、以下の説明では、便宜上、連動ギヤ４８を左から右(図３,５では右から左)にかけて順に第１〜第４連動ギヤ４８と指称する場合がある。
【００１８】
前記第３連動ギヤ４８の前面には、図６に示すように、該ギヤ４８と回転中心を同じにする小径な円形遮光板５２が前方へ突出するよう設けられている。この円形遮光板５２には、その一部を切り欠いて形成した切口５２ａが形成されている。また、前記ケース部材３８の前壁部３８ａの後面に、平面コ字状の原位置スイッチ５４が固定され、該原位置スイッチ５４に設けた後方に開放する通過部５４ａに前記円形遮光板５２が臨むようになっている。そして、前記円形遮光板５２の切口５２ａが原位置スイッチ５４に到来したときに、該原位置スイッチ５４が連動ギヤ４８(連動回転体４２)の原位置を検出するよう構成される。
【００１９】
図５に示すように、前記独立回転体４０の後方であって、前記第２,第３連動ギヤ４８,４８の中間に位置する連繋ギヤ５０は、前記連動ギヤ４８よりも大径に形成され、その外周面および内周面の夫々にギヤ５０ａ,５０ｂが形成されている。なお、内周面側のギヤ５０ｂは、連繋ギヤ５０の後面から後方へ突出する環状凸部５０ｃの内周面に設けられている。前記連繋ギヤ５０の外周面側のギヤ５０ａは、前記第２,第３連動ギヤ４８,４８に噛合している。また、連繋ギヤ５０の内周面側に設けたギヤ５０ｂは、前記ケース部材３８内に回転自在に設けられて、一方のモータ(連動モータ５６)の回転軸５６ａに連結する連動モータギヤ５８に噛合している。この連動モータギヤ５８は、前記環状凸部５０ｃの内側に臨んで、内周面側のギヤ５０ｂに噛合するよう設けられている。すなわち、前記連繋ギヤ５０は、前記連動モータギヤ５８を介して連動モータ５６によって回転され、更に連繋ギヤ５０を介して複数の連動ギヤ４８が回転される。前記連繋ギヤ５０は、その回転中心に設けた図示しない挿通孔を介して、前記独立回転体４０の回転シャフト４４が回転自在に貫通している。すなわち、前記連繋ギヤ５０は、独立回転体４０の回転シャフト４４に対し自由回転するようになっており、連繋ギヤ５０が独立回転体４０の回転に寄与することはない。
【００２０】
前記独立回転体４０の回転シャフト４４に連結する独立ギヤ４６は、前記連繋ギヤ５０よりも小径に形成されると共に、該連繋ギヤ５０の後面に回転中心を揃えて配設されている。独立ギヤ４６は、独立モータギヤ６２に噛合している。この独立モータギヤ６２は、前記ケース部材３８の内部に回転自在に配設され、他方のモータ(独立モータ６０)の回転軸６０ａに連結して、該モータ６０により回転される。なお、独立モータギヤ６２は、前記連繋ギヤ５０の内周面に設けたギヤ５０ｂの更に内側であって、該ギヤ５０ｂに干渉しない位置に設けられている(図５参照)。
【００２１】
図７に示すように、前記独立回転体４０の回転シャフト４４には、前記第３連動ギヤ４８と同様な円形遮光板５３が連結されている。この円形遮光板５３は、前記独立ギヤ４６の前方に位置するよう設けられ、該独立ギヤ４６と同期して回転するよう構成される。また、円形遮光板５３は、ケース部材３８の前壁部３８ａに固定された原位置スイッチ５５の通過部５５ａに臨んでいる。そして、円形遮光板５３に設けた切口５３ａが前記通過部５５ａに到来したときに、原位置スイッチ５５が独立ギヤ４６(独立回転体４０)の原位置を検知するようになっている。
【００２２】
前記ケース部材３８の内部であって前記ギヤ４６,４８,５０の前方には、発光基板６４が配設されている(図３の２点鎖線参照)。前記発光基板６４には、ＬＥＤ発光装置等の発光手段(図示せず)が複数配設され、該発光手段から光が前方へ向けて照射されるようになっている。なお、前記ケース部材３８の前壁部３８ａ後面は、前記発光基板６４からの光を散乱するよう表面処理が施されている。また、前記連動モータ５６および独立モータ６０は、前記ケース部材３８の後壁部３８ｂの後面(外表面)に左右の関係で並んで設けられている。そして、両モータ５６,６０の回転軸５６ａ,６０ａがケース部材３８の後壁部３８ｂを貫通してケース部材３８内に臨んで、対応するギヤ５８,６２に連結されている。このように、前記回転演出装置１８は、２つのモータ５６,６０や複数の発光手段を備え、作動時の消費電力は大きくなる。なお、この連動モータ５６および独立モータ６０は、遊技機に設けられた図示しない統括制御基板により所定のタイミングで作動制御される。また、前記ケース部材３８の後壁部３８ｂには、回転演出装置１８をセンター役物１６に取付けるための係合片３８ｄ,３８ｄが後方へ向けて突出成形されている。
【００２３】
(可動演出装置について)
前記遊技盤１２における回転演出装置１８の下方には、可動演出装置(第２の可動演出装置)１０が設けられ、その可動体６６(後述)が前記センター役物１６の画面用開口２０を介して遊技盤１２の前面に臨んでいる。可動演出装置１０は、図４の背面図に示すように、左右に列をなして配設された複数(実施例では６つ)の演出部材６８と、これら演出部材６８を作動させる単一の演出モータ(駆動手段)７０とがケース体３４に収容されて１つのユニットを構成している。各演出部材６８は、第１姿勢から第２姿勢まで姿勢変位可能に構成された可動体６６と、該可動体６６を姿勢変位させる駆動機構７２とを備え、前記ケース体３４に傾斜した状態で配設される。また、前記可動体６６は、ケース体３４の上部から外部に露出しており、その前端に発光体７３(図１参照)が設けられてスポットライトの如き形状とされている。
【００２４】
前記可動体６６は、軸部６６ａを介してケース体３４の上端部に軸支され、その前端を上下させる方向に揺動可能となっている。前記可動体６６の後端部に横方向に延出する係合突起６６ｂが設けられ、前記駆動機構７２のアーム部材７４(後述)の上端に回動自在に連繋している(図８(ｂ)参照)。すなわち、可動体６６は、その後端部をアーム部材７４により下方へ引っ張られることで、図８(ａ)に示す如く、前記発光体７３を前面に指向させた第１姿勢から、図８(ｂ)に示す如く、その前端を上昇させて該発光体７３を斜め上方へ指向させた第２姿勢へ姿勢変位可能に構成される。前記可動体６６には、第１姿勢にある可動体６６の下部に、遊技機のモチーフとなるキャラクターを模した補助可動体７５が傾動自在に軸支されている。前記補助可動体７５は、可動体６６の第１姿勢にあって、該可動体６６の下方であって、前記ケース体３４の前飾り３４ｂ(後述)の後方に位置し、補助可動体７５は前側が前方から視認し得なくなる(図１,図８(ａ)参照)。一方、可動体６６が第２姿勢に姿勢変位するのに伴い、前記補助可動体７５が前方へ傾動して可動体６６の前側で、かつ前記前飾り３４ｂの上方に臨み、前方から視認し得るようになる(図８(ｂ)参照)。なお、前記補助可動体７５は、可動体６６が第１姿勢から第２姿勢に姿勢変位する間に、その下端が前記前飾り３４ｂの上面を前方へ摺動して起立姿勢となる。一方、前記可動体６６が第２姿勢から第１姿勢に姿勢変位すると、前記補助可動体７５は、その下端が前飾り３４ｂの上面を後方へ摺動して水平姿勢となる。
【００２５】
各演出部材６８に設けられた駆動機構７２は、往復移動により可動体６６を姿勢変位させるアーム部材７４と、正逆方向へ回転可能な演出ギヤ(ギヤ)７６とを備える。前記アーム部材７４は、図４に示すように、前記ケース体３４内に形成された斜め上下方向に延在する案内部７８にスライド自在に配設される。また、前記アーム部材７４の上端には、前方へ屈曲するカギ状の係止部８０が形成されている。この係止部８０には、前方および一側方に開放する係合凹部８０ａが形成され、該係合凹部８０ａに前記可動体６６の係合突起６６ｂが係合するようになっている(図８参照)。そして、アーム部材７４が最も上方に位置する第１位置では、前記可動体６６の係合突起６６ｂが前記係止部８０により押し上げられ、該可動体６６が第１姿勢とされる。一方、アーム部材７４が最も下方に位置する第２位置では、前記可動体６６の係合突起６６ｂが前記係止部８０により押し下げられ、該可動体６６は第２姿勢に姿勢変位される。
【００２６】
前記アーム部材７４は、一端がケース体３４に形成された係止片３４ａ(図４参照)に連結すると共に、他端がアーム部材７４に設けた係止片７４ａに連結する付勢バネ(弾性部材)７７によって、常には第１位置に位置する方向(斜め上方)に付勢されている。更に、前記アーム部材７４の下端部には、後方へ所定寸法で突出すると共に斜め方向に延在するリブ状のカムフォロア８２が形成されている。このカムフォロア８２は、前記演出ギヤ７６の前面に位置するよう設けられる。
【００２７】
前記演出ギヤ７６は、前記ケース体３４の内部下方に、前後に延在するシャフト７６ａを介して正逆回転自在に配設されている。図８に示すように、演出ギヤ７６の前面には、該ギヤ７６と回転中心を同じにする円弧状のカム部８４が前方へ突出するよう形成されている。そして、前記カム部８４は、前記演出ギヤ７６が原位置にあって、前記第１位置にあるアーム部材７４のカムフォロア８２に当接しない位置に設けられる。また、前記演出ギヤ７６が回転した際に、前記カム部８４の回転方向側の端部がカムフォロア８２の上面部に当接し、第１アーム部材７４を押し下げるようになっている。そして、前記演出ギヤ７６が更に回転し、前記カム部８４のカム面８４ａ(カムフォロア８２に係合する外周面)がカムフォロア８２の上面に当接した際に、前記アーム部材７４が第２位置に移動するようになっている。
【００２８】
ここで、実施例に係る可動演出装置１０では、図４に示す如く、傾斜方向を同じにする３つの演出部材６８,６８,６８を１組として、左右２組に分かれて構成される。そこで、以下の説明では、左側(図４では右側)の３つの演出部材６８,６８,６８を第１群Ａ、右側(図４では左側)の３つの演出部材６８,６８,６８を第２群Ｂとして、両者を区別して説明する場合がある。また、６つの演出部材６８および各演出部材６８を構成する部材について、左から右(図４では右から左)にかけて第１〜第６の符号を付して、これらを区別して指称する場合がある。
【００２９】
図９は、第１群Ａにおける各演出ギヤ７６に設けられたカム部８４の配設態様を示している。なお、第２群Ｂのカム部８４の配設態様は、第１群Ａにおけるものと左右対称となっているので、第１群Ａについてのみ説明することとする。演出ギヤ７６が原位置にあって可動演出装置１０が作動されると、第１〜第３演出ギヤ７６は図９の矢印の如く回転するものとする。すなわち、第３演出ギヤ７６および第１演出ギヤ７６は、図９の反時計方向に、第２演出ギヤ７６は、図９の時計方向に回転するよう設定されている。前記第３カム部８４のカム面８４ａの長さは、他のカム部８４のカム面８４ａの長さより大きく設定される。すなわち、第３カム部８４の中心角は、約１８０°であるのに対し、第２カム部８４の中心角は約１２０°、第１カム部８４の中心角は約４５°に設定されている。ここで、前記カム面８４ａは、カムフォロア８２を最も下方の位置(以下、最下位という)に押し下げた後に、該カムフォロア８２の上面を摺動することで、カムフォロア８２を最下位に維持させる。従って、このカム面８４ａの長さ(中心角の大きさ)が大きいと、アーム部材７４を第２位置に維持する時間が長くなる。すなわち、第１〜第３カム部８４における各カム面８４ａの長さを相違させることで、各可動体６６を第２姿勢に維持する間隔に差異を設けるよう構成してある。
【００３０】
また、各カム部８４は、原位置において、その回転方向側の端部からカムフォロア８２までの距離が相違するよう構成される。すなわち、第３カム部８４における回転方向側の端部からカムフォロア８２までの距離が最も短くなっており、次いで、第２カム部８４、第１カム部８４の順で距離が長くなっている。従って、演出ギヤ７６が回転した際に、最初に第３カム部８４の端部が第３カムフォロア８２に到達し、次いで、第２カム部８４、第１カム部８４の順で各カムフォロア８２に到達する。すなわち、各カム部８４の端部からカムフォロア８２までの距離によって、該カム部８４がカムフォロア８２を押し下げるタイミング(すなわち、可動体６６が姿勢変位するタイミング)が決定され、実施例では、この距離を相違させることで、可動体６６が作動するタイミングをズラすようになっている。なお、実施例では、演出ギヤ７６が原位置にあって、全てのカム部８４の位相が同一となっている。すなわち、演出ギヤ７６が原位置にあって、カム部８４の中央部(両端部から等距離にある部位)Ｘが回転中心に対してなす角度が同一となっている。
【００３１】
次に、前記演出ギヤ７６の連携関係について以下説明する。図４に示すように、第１群Ａである第１〜第３演出ギヤ７６は相互に連繋し、また、第２群Ｂである第４〜第６演出ギヤ７６は相互に連繋している。更に、第１群Ａおよび第２群Ｂの演出ギヤ７６は、２つの中継ギヤ８６,８６(図４の右側を第１中継ギヤ８６、左側を第２中継ギヤ８６と指称する)を介して連繋している。この２つの中継ギヤ８６,８６は、同一寸法に設定され、前記ケース体３４内部において、前記第１群Ａの演出ギヤ７６および第２群Ｂの演出ギヤ７６の間に正逆回転自在に配設される。すなわち、第１中継ギヤ８６は、第３演出ギヤ７６および第２中継ギヤ８６に連繋している。一方、第２中継ギヤ８６は、前記第１中継ギヤ８６および第４演出ギヤ７６に連繋している。そして、第３演出ギヤ７６および第４演出ギヤ７６は、２つの中継ギヤ８６,８６を介すことで回転方向が反対となり、第１群Ａおよび第２群Ｂにおける対応する演出ギヤ７６が反対方向に回転するようになっている。従って、可動体６６の演出動作は、第１群Ａおよび第２群Ｂで対称となる(図１１,図１２参照)。
【００３２】
図４に示すように、前記第３演出ギヤ７６は、図前記ケース体３４の後面に設けた演出モータ７０の回転軸７０ａに連結しており、演出モータ７０により第３演出ギヤ７６が回転されるようになっている。なお、前記回転軸７０ａは、演出モータ７０の主軸７０ｂに図示しないギヤを介して連繋されており、該主軸７０ｂから図４の左方に偏倚している。図１０に示す如く、遮光片８８が後方へ突出するよう設けられ、該遮光片８８がケース体３４に固定された原位置スイッチ９０の通過部９０ａに臨んだ際に、原位置スイッチ９０が第３演出ギヤ７６の原位置を検知するようになっている。なお、前記演出モータ７０は、回転演出装置１８の２つのモータ５６,６０と同様に、統括制御基板により作動制御される。
【００３３】
実施例に係る遊技機に設けられた可動演出装置１０は、図２に示す如く、ケース体３４を介して前記裏樋２８の設置部３０に着脱自在に取付けられる。前記ケース体３４は、アーム部材７４をスライド自在に保持する前記案内部７８が形成された板状の前側ケース体９２と、該前側ケース体９２の後面下部に設けられ、前記複数の演出ギヤ７６および中継ギヤ８６を収容する横長の後側ケース体９４とから構成される。前記前側ケース体９２の上部前面には、所要の装飾が施された前飾り３４ｂが前方へ向けて延出するよう設けられる。そして、この前飾りの上方に前記可動演出装置１０の複数の可動体６６が臨み、第１姿勢の可動体６６の下側を支持するよう構成される(図１参照)。また、前記補助可動体７５は、第１姿勢となった可動体６６および前飾り３４ｂの間に収容され、前方から視認し得なくなっている。
【００３４】
前記後側ケース体９４の後面には、前記演出モータ７０を設置するモータ設置部９６が形成されている。また、後側ケース体９４の左右の側部に外方へ延出する取付片９８,９８が設けられ、ケース体３４を設置部３０に設置した際に、該取付片９８,９８の前面が、前記裏樋２８の支持部３２,３２に当接支持される。各取付片９８に通孔９８ａが開設され、ケース体３４を裏樋２８の設置部３０に設置した際に、該通孔９８ａが前記支持部３２のネジ孔３２ａに整合するよう構成される。
【００３５】
前記後側ケース体９４の下面は、前記裏樋２８の支持面３６に整合する形状に形成され、その左右方向の中央位置に上方へ窪んだ凹部１００が形成されている。そして、後側ケース体９４の下面を下枠部材２６ｂの支持面３６に載置した際に、前記凹部１００が下枠部材２６ｂの凸部３６ａに整合して、左右方向への位置決めがなされるようになっている。更に、後側ケース体９４の下面から下方に突出する突出片１０２,１０２が２つ設けられ、各突出片１０２に通孔１０２ａが開設されている。この通孔１０２ａ,１０２ａは、ケース体３４を裏樋２８の設置部３０に載置した際に、前記下枠部材２６ｂに設けたネジ孔３７,３７に整合するようになっている。すなわち、可動演出装置１０は、４つのネジを介して裏樋２８の設置部３０に着脱自在に固定されるよう構成してある。
【００３６】
(実施例の作用)
次に、実施例に係る遊技機の作用について以下説明する。先ず始めに、可動演出装置１０を遊技盤１２に組付ける場合について説明する。前記遊技盤１２の開口部にセンター役物１６を配設し、該センター役物１６の上部に前記回転演出装置１８を取付ける。なお、前記回転演出装置１８は、大型で重量を有するため、該回転演出装置１８が設置されたセンター役物１６に対して所定の負荷が加わることになる。次いで、前記裏樋２８の設置部３０に前記可動演出装置１０を取付ける。すなわち、図２(ａ)および(ｂ)に示すように、後側ケース体９４の下面を下枠部材２６ｂにおける支持面３６上に載置すると共に、後側ケース体９４の左右の取付片９８,９８を支持部３２,３２に臨ませる。このとき、前記後側ケース体９４の下面は支持面３６に整合し、該ケース体３４の下面に設けた凹部１００に支持面３６の凸部３６ａが嵌合して位置決めがなされる。次いで、左右の支持部３２,３２のネジ孔３２ａ,３２ａに整合した取付片９８,９８の各通孔９８ａ,９８ａにネジを螺挿すると共に、下枠部材２６ｂに設けた２つのネジ孔３７,３７に整合した突出片１０２,１０２の通孔１０２ａ,１０２ａに２つのネジを螺挿することで、ケース体３４が裏樋２８に固定される。
【００３７】
このように、実施例に係る遊技機では、可動演出装置１０を裏樋２８に設けることで、センター役物１６に対する負荷が軽減され、回転演出装置１８が設けられたセンター役物１６に対し、更なる負荷が課されることはない。しかも、裏樋２８は、遊技盤１２の裏側に設けられるため、遊技者側から視認される部材ではないから、実施例の如く、可動演出装置１０を設置するための設置部３０をある程度自由に設計し得る。従って、ケース体３４の形状に合わせた設置部３０を成形することができ、可動演出装置１０を確実に保持し得る形状とし得る。しかも、ケース体３４の下面が下枠部材２６ｂの支持面３６に整合して、該ケース体３４を支持面３６で支持し得るので、可動演出装置１０を安定的に固定して、組付け時の作業性も向上し得る。
【００３８】
また、可動演出装置１０は、４つのネジによりネジ止めするだけで容易に固定することができ、可動演出装置１０の着脱作業を効率的にし得る。更に、センター役物１６に可動演出装置１０が設けられないので、該センター役物１６の剛性を高めるために画面用開口２０を狭める必要がなく、該画面用開口２０を広く利用することができる。なお、設置部３０に固定された可動演出装置１０は、複数の可動体６６が前記センター役物１６の画面用開口２０を介して遊技盤１２の前面に臨むようになる。前記可動演出装置１０の設置後、図柄表示装置を該可動演出装置１０の後方に配置し、前記センター役物１６の画面用開口２０を介して、図柄表示装置の画面を遊技盤１２の前面に臨ませる。
【００３９】
次に、実施例に係る遊技機に設けられた可動演出装置１０の作用について以下説明する。通常の遊技状態において可動演出装置１０は停止しており、全ての演出ギヤ７６が原位置に位置している。すなわち、可動演出装置１０は、非作動時にあって全ての可動体６６が第１姿勢となって、前記発光体７３を前方に指向させている。所定条件のもと遊技機が特別遊技状態となると、統括制御基板が前記演出モータ７０を作動させ、その回転軸７０ａを図１１の反時計方向(以後、正方向という)へ回転させる。すると、前記回転軸７０ａにより第３演出ギヤ７６が正方向へ回転され、第３演出ギヤ７６に連繋する前記第２演出ギヤ７６が図１１の時計方向(以後、逆方向という)へ回転される。更に、第２演出ギヤ７６に連繋する第１演出ギヤ７６が正方向へ回転される。一方、前記第１中継ギヤ８６は、第３演出ギヤ７６によって逆方向へ回転され、該第１中継ギヤ８６に連繋する第２中継ギヤ８６が正方向に回転する。すると、第２中継ギヤ８６に連繋する第４演出ギヤ７６が逆方向に回転すると共に、第５,第６演出ギヤ７６,７６は、夫々、正方向、逆方向に回転する。すなわち、第１群Ａおよび第２群Ｂの演出ギヤ７６は、２つの中継ギヤ８６,８６を介して同期的かつ対称的に回転する。なお、第１群Ａと第２群Ｂとでは、作用が対称となるので、以下の説明では、主として、第１群Ａにおける作用について説明することとする。
【００４０】
前記演出ギヤ７６が所定角度回転すると、先ず始めに、前記第３演出ギヤ７６の第３カム部８４の端部が、第３カムフォロア８２の上面に当接する。すると、第３カムフォロア８２が第３カム部８４によって下方へ押し下げられ、第３アーム部材７４が付勢バネ７７の弾性力に抗して下方へスライドされる。これより、前記第３可動体６６の係合突起６６ｂが、第３アーム部材７４の係止部８０により押し下げられ、第３可動体６６は前端を上昇するよう軸部６６ａを中心として揺動変位する。このとき、前記第１,第２演出ギヤ７６,７６のカム部８４は、カムフォロア８２に接触しておらず、対応する可動体６６は第１姿勢のままである。前記演出ギヤ７６が更に回転すると、第３カム部８４のカム面８４ａが第３カムフォロア８２の上面に当接し、該カムフォロア８２が最下位に位置する。すると、前記第３アーム部材７４が第２位置まで移動し、前記第３可動体６６が第２姿勢となって前記発光体７３を斜め上方へ指向させる(図１１(ａ)参照)。また、前記補助可動体７５は、その下端を前記前飾り３４ｂの上面を前方へ摺動させて、起立姿勢となって前方へ露出する(図８(ｂ)参照)。同時に、前記第３可動体６６の発光体７３が作動し、前側上方へ向けて光が照射される。
【００４１】
前記演出ギヤ７６が更に回転すると、前記第３カム部８４のカム面８４ａが第３カムフォロア８２を摺動し、該カムフォロア８２が最下位に維持された状態(すなわち、第３可動体６６が第２姿勢に維持された状態)で、前記第２カム部８４の端部が第２カムフォロア８２に到達する。すると、第２カム部８４が第２カムフォロア８２を押し下げ、第２可動体６６が姿勢変位を開始する。なお、前記第１カム部８４は未だ第１カムフォロア８２に到達しておらず、第１可動体６６が姿勢変位することはない。そして、第２カム部８４のカム部８４が第２カムフォロア８２に当接し、第２カムフォロア８２を最下位まで押し下げると、前記第２可動体６６が第２姿勢まで姿勢変位し、前述と同様な遊技演出が行なわれる。このとき、前記第３カム部８４のカム面８４ａは第３カムフォロア８２に当接しており、前記第３可動体６６は第２姿勢に維持されている(図１１(ｂ)参照)。
【００４２】
前記演出ギヤ７６が更に回転すると、前記第２,第３可動体６６,６６が第２姿勢に維持された状態で、第１カム部８４が第１カムフォロア８２に到達する。すると、第１カム部８４が第１カムフォロア８２を押し下げ、第１可動体６６が姿勢変位を開始する。そして、第１カム部８４により第１カムフォロア８２が最下位まで押し下げられると、第１可動体６６を含む全ての可動体６６が第２姿勢となる(図１１(ｃ)参照)。すなわち、各演出ギヤ７６が略半回転する間に各演出ギヤ７６のカム部８４が順にカムフォロア８２に到達し、該カムフォロア８２を非同期的に押し下げる。従って、可動体６６が非同期的に作動して、多彩な可動演出が実現される。しかも、第１群Ａおよび第２群Ｂの演出ギヤ７６は、２つの中継ギヤ８６,８６を介して連繋しており、可動体６６の姿勢変位は第１群Ａおよび第２群Ｂで対称となる。すなわち、実施例においては、演出モータ７０の回転軸７０ａが正方向へ回転すると、両群Ａ,Ｂの可動体６６は、夫々内側から外側に順に姿勢変位するよう構成され、演出効果の向上が図られている。
【００４３】
全ての可動体６６が第２姿勢となると、統括制御基板は演出モータ７０の回転軸７０ａを逆回転させる。すると、可動演出装置１０は、前述した演出動作とは反対の動作を実行する。すなわち、図１２に示すように、前記第３演出ギヤ７６が逆回転され、他の演出ギヤ７６が夫々反転する。すると、先ず始めに、第１カム部８４のカム面８４ａが第１カムフォロア８２の上面から離脱し、該カム部８４の端部が上昇する。すると、前記付勢バネ７７の復帰力により、第１カムフォロア８２が第１カム部８４の端部と共に上昇する。これにより、第２位置にある第１アーム部材７４が上昇し、前記第１可動体６６の係合突起６６ｂが押し上げられ、該第１可動体６６は軸部６６ａを中心に第２姿勢から第１姿勢へ姿勢変位する。この場合において、第１カム部８４以外のカム部８４は、そのカム面８４ａがカムフォロア８２の上面を摺動しつつ押圧し、対応する可動体６６は第２姿勢に維持されている。
【００４４】
前記演出ギヤ７６が更に回転すると、第１アーム部材７４が第１位置に復帰し、第１可動体６６が第１姿勢となる(図１２(ａ)参照)。このとき、前記発光体７３は発光を停止すると共に、前記補助可動体７５は、下端が前飾り３４ｂの上面を後方へ摺動して水平姿勢となり、可動体６６の下方に退避する。すると、補助可動体７５は、前記前飾り３４ｂにより前側を覆われて前方から視認し得なくなる(図８(ａ)参照)。以下同様にして、第２可動体６６が第１姿勢に復帰し(図１２(ｂ)参照)、その後、第３可動体６６が第１姿勢に復帰する(図１２(ｃ)参照)。すると、第３演出ギヤ７６に設けられた遮光片８８が原位置スイッチ９０の通過部９０ａに到来し、該原位置スイッチ９０が第３演出ギヤ７６の原位置を検出する。原位置の検出により、前記統括制御基板が、例えば、演出モータ７０を停止させ、可動演出装置１０による演出が終了される。すなわち、演出モータ７０の回転軸７０ａが逆方向へ回転すると、両群Ａ,Ｂの可動体６６は、正方向の場合とは逆である外側から内側に向けて順に姿勢変位し、左右対称な可動演出が行なわれる。
【００４５】
このように、実施例に係る可動演出装置１０では、単一の演出モータ７０により複数の可動体６６を非同期的に姿勢変位させることができ、複雑な演出効果を発揮し得る。しかも、単一の演出モータ７０で足りるので、部品点数の減少、消費電力の抑制を図り得る。特に、実施例の如く、センター役物１６に電力消費量の大きな回転演出装置１８が設けられている場合であっても、少ない電力消費量の可動演出装置１０を採用することで、電源基盤の生成電力の範囲内で対処し得る。また演出モータ７０を１つとすることで、構造が簡単となって、組付け時の工程数を少なくし得る。更に、カム部８４のカム面８４ａの長さを相違させることで、多彩な可動演出が実現される。
【００４６】
なお、実施例に係る遊技機では、前記可動演出装置１０による可動演出に加え、前記回転演出装置１８による視覚的な演出が重畳的に実施される。すなわち、例えば、遊技中に特別遊技状態となると、統括制御基板が前記連動モータ５６および独立モータ６０を作動させる。すると、連動モータ５６により連動モータギヤ５８が回転され、連繋ギヤ５０の内周面に設けたギヤ５０ｂが連動モータギヤ５８によって回転されることで、該連繋ギヤ５０が回転される(図５参照)。すると、連繋ギヤ５０に噛合する前記第１〜第４連動ギヤ４８が、一斉に回転される。これにより、前記連動回転体４２が同期的に回転し、前記発光基板６４からの光を散乱させて所要の発光演出が行なわれる。一方、前記独立モータ６０によって独立モータギヤ６２が回転されると、これに噛合する前記独立ギヤ４６が前記連繋ギヤ５０とは独立して回転される。これにより、前記独立回転体４０が回転して、前記連動回転体４２とは異なる散乱効果での発光演出が行なわれる。すなわち、独立回転体４０と連動回転体４２とにより異なる発光パターンでの発光演出が行なわれ、多彩な演出効果を奏し得る。
【００４７】
図６に示すように、前記第３連動ギヤ４８に設けた円形遮光板５２の切口５２ａが原位置スイッチ５４の通過部５４ａに臨むと、該原位置スイッチ５４は第３連動ギヤ４８の原位置を検出する。すると、前記統括制御基板が、例えば、連動モータ５６を停止させる制御を行なう。同様に、図７に示す如く、独立ギヤ４６における円形遮光板５３の切口５３ａが原位置スイッチ５５の通過部５５ａに臨むと、該原位置スイッチ５５が独立ギヤ４６の原位置を検出し、統括制御基板は独立モータ６０を停止させる。すなわち、回転演出装置１８は、連動ギヤ４８および独立ギヤ４６の原位置を検出すると、発光演出を終了させる。このように、実施例では、前記可動演出装置１０による可動演出に加え、回転演出装置１８による発光演出が実施されるようになっている。従って、遊技者は多彩な演出効果を楽しむことができ、趣向を凝らした遊技に興ずることができる。
【００４８】
なお、実施例では、可動演出装置１０に関して、２つの中継ギヤ８６,８６を介することで、第１群Ａおよび第２群Ｂの演出態様が対称となるようにしたが、必ずしも、両者の演出態様を対称にする必要はない。すなわち、中継ギヤ８６を介さずに第１群Ａおよび第２群Ｂの演出ギヤ７６を直接連繋したり、１つの中継ギヤ８６を介して連繋してもよい。更に、隣接する演出ギヤ７６,７６の間に中継ギヤ８６を１つずつ設けてもよく、その場合、全ての演出ギヤ７６の回転方向を同一にし得る。実施例では、第３演出ギヤ７６に演出モータ７０の回転軸７０ａを連結させたが、他の演出ギヤ７６に連結させてもよい。また、可動演出装置１０が備える可動体６６(演出部材６８)の数や、演出部材６８の傾斜方向等について適宜変更が可能である。
【００４９】
実施例では、カム面８４ａの長さが異なるカム部８４を同位相で配設することで、可動体６６が非同期的に姿勢変位するよう構成した。しかしながら、少なくとも１つの演出ギヤ７６におけるカム部８４の配設態様(すなわち、カム面８４ａの長さや位相)を他のカム部８４と相違させることで、実施例とは異なる様々な演出態様を実現し得る。例えば、カム面８４ａの長さを同一とし、少なくとも１つのカム部８４の位相を相違させることで、可動体６６を非同期的に作動させることが可能である。また、少なくとも１つの可動体６６が非同期的に作動する構成であればよく、例えば、１つのカム部８４の配設態様のみを相違させて、他のカム部８４の配設態様を同一としてもよい。実施例では、円弧形状のカム部８４およびリブ状のカムフォロア８２の構成を例示したが、両部材が、いわゆるカム機構を構成するものであれば、他の構成を採用することが可能である。例えば、カム部８４を扇形や他の形状としたり、カム面８４ａを円弧以外の曲面とすることも可能である。更に、実施例では、演出ギヤ７６を全て同じ径のものを採用したが、異なる径の演出ギヤ７６を採用してもよい。この場合、各カム部８４の周期が相違するため、可動体６６の作動を更に非同期的とし得る。
【００５０】
実施例では、演出モータ７０の回転軸７０ａを正方向へ回転させて、第３→第２→第１可動体６６の順で第２姿勢とし、次いで、演出モータ７０の回転軸７０ａを逆方向へ反転させて、第１→第２→第３可動体６６の順序(逆の順)で第１位置に復帰させる演出態様とした。しかしながら、必ずしも、演出モータ７０の回転軸７０ａを反転させる必要はなく、例えば、モータ７０を一方向にのみ回転させるようにしてもよい。この場合、例えば、各演出ギヤ７６において、カム部８４の回転方向側の端部とカムフォロア８２までの距離を相違させると共に、反対側の端部とカムフォロア８２までの距離を一致させれば、可動体６６を順に第２姿勢とした後、可動体６６を一斉に第１姿勢に復帰させるといった演出が可能となる。これとは反対に、各演出ギヤ７６において、カム部８４の回転方向側の端部とカムフォロア８２までの距離を一致させ、反対側の端部とカムフォロア８２までの距離を相違させれば、可動体６６の初期動作(すなわち、第１姿勢から第２姿勢への姿勢変位)を一致させた後、順に第１姿勢に復帰させると云った演出も可能である。
【００５１】
実施例では、センター役物１６の上部に回転演出装置１８を設けたが、該回転演出装置１８をセンター役物１６の側部等に設けてもよい。また、本発明に係る遊技機としては、必ずしも、回転演出装置１８がセンター役物１６に設けられている必要はなく、大型の演出装置として可動演出装置１０のみを備えた構成としてもよい。また、実施例では、裏樋２８の下部に可動演出装置１０を取付ける場合を示したが、例えば、左右の枠部材２７ｃ,２７ｄに設けたり、上枠部材２７ａに設けてもよい。更に、実施例では、可動演出装置１０や回転演出装置１８は、遊技機が特別遊技状態となったときに作動するようにしたが、特別遊技状態以外のときに可動演出装置１０や回転演出装置１８を作動させてもよい。
【図面の簡単な説明】
【００５２】
【図１】実施例に係る遊技機の遊技盤を示す正面図である。
【図２】可動演出装置を裏樋に取付ける様子を示す背面図であって、(ａ)は可動演出装置を裏樋に取付ける前の状態を示し、(ｂ)は可動演出装置を裏樋に取付けた状態を示す。
【図３】回転演出装置を示す平面図である。
【図４】可動演出装置を後方から見た全体図であって、ケース体の後面側を取外した状態で示す。
【図５】回転演出装置のギヤを後方から見た説明図である。
【図６】連動ギヤの回転遮光板を示す拡大斜視図である。
【図７】独立ギヤの回転遮光板を示す拡大斜視図である。
【図８】可動演出装置の演出部材が作動する様子を示す説明図であって、(ａ)は可動体が第１姿勢にある状態を示し、(ｂ)は可動体が第２姿勢にある状態を示す。
【図９】第１群におけるカム部およびカムフォロアの配設態様を示す拡大背面図である。
【図１０】演出部材を前側から見た拡大斜視図である。
【図１１】可動演出装置の可動体が第１姿勢から第２姿勢に姿勢変位する様子を示す概略背面図あって、(ａ)は第３,第４可動体が第２姿勢に変位した状態を示し、(ｂ)は第２,第５可動体が第２姿勢に変位した状態を示し、(ｃ)は第１,第６可動体が第２姿勢に変位した状態を示す。
【図１２】可動演出装置の可動体が第２姿勢から第１姿勢に姿勢変位する様子を示す概略背面図あって、(ａ)は第１,第６可動体が第１姿勢に変位した状態を示し、(ｂ)は第２,第５可動体が第１姿勢に変位した状態を示し、(ｃ)は第３,第４可動体が第１姿勢に変位した状態を示す。
【符号の説明】
【００５３】
１０ 可動演出装置(第２の可動演出装置)，１２ 遊技盤，１５ 遊技領域
１６ センター役物(装飾部材)，１８ 回転演出装置(第１の可動演出装置)
２０ 画面用開口，２２,２３,２４ 入賞装置，２８ 裏樋，３０ 設置部
３４ ケース体，６６ 可動体，６８ 演出部材，７０ 演出モータ(駆動手段)
７２ 駆動機構，７４ アーム部材，７６ 演出ギヤ(ギヤ)，７７ 付勢バネ(弾性部材)
８２ カムフォロア，８４ カム部，８６ 中継ギヤ，９８ 取付片(取付部)
１０２ 突出片(取付部)，Ａ 第１群，Ｂ 第２群
【図１】
0005327575.tif 000002
【図２】
0005327575.tif 000003
【図３】
0005327575.tif 000004
【図４】
0005327575.tif 000005
【図５】
0005327575.tif 000006
【図６】
0005327575.tif 000007
【図７】
0005327575.tif 000008
【図８】
0005327575.tif 000009
【図９】
0005327575.tif 000010
【図１０】
0005327575.tif 000011
【図１１】
0005327575.tif 000012
【図１２】
0005327575.tif 000013